【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】  シガレットパックのグループ―シガレットマルチパック―特に、一繋がりのブランク(２４，７０，８０)で作られる所定の包装材を有するパックであって、
前記包装材は、ヒンジ蓋付きシガレットパック用の包装材の態様で形成されており、以下の点すなわち、
従来の直立する長手方向折り曲げ線（41,42）の代わりに、丸い縁部のパックまたは八角形縁部のパック、つまり、直立する丸い区域（71,74）を備える設計、
または、
従来の直立する長手方向折り曲げ線（41,42）の代わりに、細長い折り曲げストリップ（76,79）によって接続された直立する二重の長手方向折り曲げ線を備える設計を有し、
円い縁部のパック構造の場合は、円い縁部のシガレットパックが、内容物として配置され、前記シガレットパックの直立する円い縁部は、パックの直立円形区域（71〜74）に沿って配列されており、また、
多角形パック構造の場合は、八角形のシガレットパックが、内容物として配置され、前記シガレットパックの直立する細長い折り曲げストリップは、パックの直立する折り曲げストリップ（76,79）に沿って配列される点を特徴とするパック。
【請求項２】  円い区域（71〜74）における空隙を避けるために、前記区域の半径は、円い縁部のシガレットパックの円い縁部の半径に適合されている点を特徴とする請求項１に記載のパック。
【請求項３】  空隙を避けるために、折り曲げストリップ（76〜79）の幅は、多角形のシガレットパックの対応する折り曲げストリップの幅に適合されている点を特徴とする請求項１に記載のパック。
【請求項４】  頂部において開き、シガレットパックを収容するボックスパート（11）、ボックスパートを閉じ、ボックスパートの後部壁（15）において関節回動され、好ましくは、パックの前部壁（14）とパックの両側部壁を越えて部分的に突出し、内側においてパックの前部壁およびパックの両側部壁と向き合って接するカラーの前部壁（31）とカラーの両側部壁を有する蓋（12）を備えるとともに、
折り曲げられていない状態においても、後部壁（15）は、完成したパックにおいては後部壁（15）に隣り合う直立する側部壁（17）と接するようになるストリップ（23）に接続されており、
折り曲げられていない状態においては、自由である長手方向境界部において、接続ウエブ（23）は切り欠き（82）を有し、前記切り欠きは、カラーの側部タブ（38）のために充分に大きいクリアランスが作り出されるような大きさであり、前記カラーの側部タブは、第２の側部壁（17）と向き合って接し、接続ストリップ（23）は、カラーの側部タブ（38）とは接しない点を特徴とする請求項１〜３のいずれか１に記載のパック。
【請求項５】  パック（10）が最初に開かれる前に、蓋の後部壁（26）は、関節線（46）の区域においてパックの後部壁（15）に接続されており、蓋の側部壁（27,28）およびパックの側部壁（16,17）は、切断部（43,44,45）によって残存接続部（47,48）を介して互いに分離されており、特に、蓋の前部壁（25）または関連する蓋の内側タブ（29）が、切断部（44）によってパックの前部壁（14）から分離されている点を特徴とする請求項４に記載のパック。
【請求項６】  蓋の頂部壁（32）またはパックの底部壁（18）を形成するために提供されるパーツは、重なりと大きさの観点において、少なくとも、蓋の頂部壁（32）またはパックの底部壁（18）が、高々２層となるように設計される点を特徴とする請求項４または５に記載のパック。
【請求項７】  折り曲げられていない状態では、蓋の前部壁（25）とパックの前部壁（14）の間に、切断部（44）によってパックの前部壁（14）から分離された蓋の内側タブ（29）が設けられて、蓋の前部壁（25）に接続されており、−完成したパックにいては、−蓋の前部壁（25）の内側と接するようになるので、パックは、パックの前部壁（14）と蓋の前部壁（25）の間に、大きさが蓋の内側タブ（29）と等しく、好ましくは、カラーの前部壁（31）によって内側に閉じられる点を特徴とする請求項４〜６のいずれか１に記載のパック。
【請求項８】  包装材とシガレットパックのグループを有するパック−シガレットのマルチパックであって、
前記包装材は、１つの、特に一繋がりのブランク（101）から折り曲げられることによって製造され、底部壁（104）と、細長い直立端部壁（115,116）と、頂部壁（107）と、大きな表面積の（広い）前部壁（102）および後部壁（103）を備え、以下の点すなわち、
前部壁（102）と端部壁（115,116）、および/または、後部壁（103）と端部壁（115,116）の間の遷移区域には、丸い区域−中間に小さなスペースを伴って、互いに隣接する丸い縁部のパックまたは折り曲げ線を形成するための丸い縁部−と、
八角形のパックを形成するための角度の付いた境界が、「鋭い」９０度の折り曲げ部の代わりに設けられ、
丸い縁部のパック構造の場合は、丸い縁部のシガレットパックが、内容物として配置され、その丸い縁部は、丸い縁部のパックの丸い縁部の区域（119,120）に設けられて、同区域に平行に延出し、
八角形のパックの構造の場合は、八角形のシガレットパックが、内容物として配置され、その角度の付いた境界部は、八角形パックの角度の付いた区域に配置され同区域に平行に延出するパック。
【請求項９】  端部壁（115,116）はそれぞれ、一方の大きい壁−後部壁（103）と前部壁（102）−に隣接する１つの端部タブ（109,110）および他方の大きい壁に隣接する接続ストリップ（111,112）によって形成されており、端部タブ（109,110）と接続ストリップ（111,112）は、丸い縁部（119,120）を介して、それぞれ関連する大きい壁に隣接している点、
端部壁（115,116）を形成するために、特に両側において底部壁（104）に隣接する底部タブ（113,114）が、上に向かって折り曲げられる点、および、
頂部壁（107）は、好ましくは、２つの大きい壁に接続されている２つのカバータブ（105,106）、すなわち、頂部壁（107）全表面エリアに亘って延出する大きいカバータブと接続タブとして機能する小さなカバータブとによって形成されている点を特徴とする請求項８に記載のパック。
【請求項１０】  底部壁（104）は、端部壁（115,116）への遷移区域において、丸い縁部（119,120）に対応する丸い境界（121）を有し、前記丸い境界（121）は、直線境界部分（122）によって接続されており、底部タブ（113,114）は、直線境界部分（122）の区域において、正確に言えば、丸い境界（121）から小空隙を隔てて、特に、底部壁（104）に隣接しているので、短い中間境界部分（123,124）が、底部タブ（113,114）と丸い境界（121）の間に設けられる点、および、
特に、長方形状の端部タブ（109,110）が、好ましくは、端部壁（115,116）の幅に亘って延出し、隣接する丸い縁部（119,120）の前で終わっているので、結果として大きい壁（前部壁または後部壁）と接続ストリップ（111,112）との間に、隣接する丸い縁部が形成される点を特徴とする請求項８または９に記載のパック。
【請求項１１】  シガレットパックのグループを収容するための、いわゆるシガレットマルチパックを形成するための包装体を製造するためのブランクであって、
前部壁（102）、後部壁（103）、底部壁（104）、頂部壁（107）および端部壁（115,116）を形成するブランクのパーツを有し、
以下の点すなわち、一方においては、前部壁（102）と、端部壁を形成するブランクのパーツの間の遷移区域、他方においては、後部壁（103）と、端部壁を形成するブランクのパーツの間の遷移区域には、丸い縁部のパックのための丸い縁部（119,120）として、ストリップ状の区域が設けられるか、または、八角形のパックのための４５度の折り曲げ部を生じさせるための、中間に小間隙を隔てて互いに隣接する折り曲げ線が設けられる点を特徴とするブランク。